(57)【要約】      （修正有）【課題】着物の着付け、帯結びに必要不可欠な帯板、伊達締め、帯枕の３つを１つに組み合わせ、帯結びを定位置で美しく維持することができる帯下装身具を提供する。【解決手段】帯下装身具１０は、帯の幅よりも狭い幅で延在し、一方の端部２０Ａと他方の端部２０Ｂを有する前平面体２０と、帯の幅よりも狭い幅で延在し、一方の端部３０Ａと他方の端部３０Ｂを有する後背面体３０と、前平面体３０の一方の端部２０Ａと後背面体３０の一方の端部３０Ａとを接続し、前平面体２０と後背面体３０との間隔を調整可能な複数のゴムテープ４０と、前平面体２０の他方の端部２０Ｂを後背面体３０の他方の端部３０Ｂに固定する面ファスナー５０と、後背面体３０の上端から突出するように設けられ、挿通可能な開口を提供する帯枕部材６０とを有する。【選択図】図１
0003162825.tif 000002
【実用新案登録請求の範囲】
【請求項１】
帯の幅よりも狭い幅で延在し、一方の端部と他方の端部を有する前平面体と、
帯の幅よりも狭い幅で延在し、一方の端部と他方の端部を有する後背面体と、
前記前平面体の一方の端部と前記後背面体の一方の端部とを接続し、前記前平面体と前記後背面体との間隔を調整可能な弾性部材と、
前記前平面体の他方の端部を前記後背面体の他方の端部に固定する固定手段と、
前記後背面体の上端から突出するように設けられ、挿通可能な開口を提供する帯枕部材と、
を有する帯下装身具。
【請求項２】
前記後背面体の前記帯枕部材に対応する位置に取り付けられた少なくとも１つの締結部材を含み、前記締結部材は、前記後背面体との間で帯の短手方向で帯を締結し帯の長さを調整可能である、請求項１に記載の帯下装身具。
【請求項３】
前記前平面体には、携帯端末を収容可能なポケットが形成される、請求項１または２に記載の帯下装身具。
【請求項４】
前記帯枕部材は、金属製の部材によって枠組みが形成される、請求項１ないし３いずれか１つに記載の帯下装身具。
【考案の詳細な説明】
【技術分野】
【０００１】
本考案は、着物、着付け、帯結びにおいて、帯結びが美しく容易に形を形成させるための帯下装身具である。
【背景技術】
【０００２】
美しい日本の着物を着るために、着物の着付けでは、美しさを一層引き立たせる帯結びについて色々な発案が成されている。紐や係具を用いて着物の上に巻いた帯や紐で旨が窮屈に締め付けられるのを解消し、一人でも容易に結ぶことができる形成具が特許文献１に開示されている。
【先行技術文献】
【特許文献】
【０００３】
【特許文献１】特開２００６‐７０３８４号公報
【考案の概要】
【考案が解決しようとする課題】
【０００４】
しかしながら、特許文献１に開示されるような形成具は、係具が複雑であって、これらを認識するのが難しく、従来の帯板とあまり変化がない。また、形成具は、帯板としてのみ使用されており、一人で定位置に帯結びを形成するには不十分である。
【０００５】
本考案は、このような従来の課題を解決するものであり、帯板、伊達締め、帯枕といった、着物着付けの帯結びに必要不可欠な３つの装着具が１つの装身具に組み合わされ、紐の苦しさや窮屈さからも解消され、帯結びが美しく定位置で崩れ落ちることなく維持することができる、帯下装身具を提供するものである。
【課題を解決するための手段】
【０００６】
本考案に係る帯下装身具は、帯の幅よりも狭い幅で延在し、一方の端部と他方の端部を有する前平面体と、帯の幅よりも狭い幅で延在し、一方の端部と他方の端部を有する後背面体と、前記前平面体の一方の端部と前記後背面体の一方の端部とを接続し、前記前平面体と前記後背面体との間隔を調整可能な弾性部材と、前記前平面体の他方の端部を前記後背面体の他方の端部に固定する固定手段と、前記後背面体の上端から突出するように設けられ、挿通可能な開口を提供する帯枕部材とを有する。
【０００７】
好ましくは前記後背面体の前記帯枕部材に対応する位置に取り付けられた締結部材を含み、前記締結部材は、前記後背面体との間で帯の短手方向で帯を締結し帯の長さを調整可能である。好ましくは前記前平面体には、携帯端末を収容可能なポケットが形成される。好ましくは前記帯枕部材は、金属製の部材によって枠組みが形成される。
【０００８】
好ましくは、重なり合う両端部を、帯下装身具の幅より僅かに細く形成することで、前平面体と後背面体の伸縮可能なゴムテープの２つの作用により、着衣者が帯下装身具を同に巻いたときは、帯板に要求される板面形状を胴部に巻いたときに逆円錐台形になるように、自然の状態で上辺と下辺が平行な山伏を計上し、着衣者の導体に柔軟に着衣し苦しくなく、無理なく帯板の変形と成り帯板留め具は必要としない。
【０００９】
本考案の帯下装身具本体の前平面体と後背面体を色、柄の布で覆い色柄帯下装身具とする。色柄装身具を着衣者の胴に巻き、その上にオーガンジーややわらかい薄い透き通る布の兵児帯を締めた際は、その布の上から色柄帯下装身具が透けて見え、また、雰囲気の美しい帯結びとなることを実現した。
【００１０】
また、色柄帯下装身具本体と同等の色柄を帯結び用の帯を別に作成し、帯結びの形を作り、帯枕部材に設けてある帯結びを整えるための、帯結び補助紐でしっかり縛る。そして帯結びを整えたときは、帯下装身具は、帯本体となる。
【００１１】
本考案の帯下装身具は、一人で帯結びをするときには、前に後背面を回し、帯結びを形づくり、帯と帯下装身具を一緒１８０°廻し、前で形付け他帯結びを後ろ（背中）に廻し、形を整える。
【００１２】
以上の本考案の帯下装身具は、着物、着付け、帯結びに必要不可欠な帯板、伊達締め、帯枕、帯と４つの着装具を１本の帯下装身具で帯結びが、下がり落ちることなく、見栄えの良さを長時間美しく維持することができる。日本の装飾美を誇る和服用帯結び、帯下装身具を提供するものである。
【考案の効果】
【００１３】
本考案に係る帯下装身具は、前平面体と後背面体の２つの兵面体から形状され、２つの形状体は、両端に伸縮可能なゴム紐等の弾性部材にて接合されているため、体型に併せて大きさを容易に適合させることができる。
【００１４】
本考案に係る帯下装身具を胴に一廻りし、重なり合う両端面に、固定手段として、例えば面ファスナーを付けることで、固定が容易になる。また、帯下装身具は、帯よりも狭く、帯よりも難い素材で形状されていて、伸縮可能なゴムテープの作用により柔軟に着衣者の胴に密着し、伊達締めの代わりともなる。
【００１５】
また、帯下装身具の後背面体の上辺端に挿通可能な軽金属製を突出した帯枕部材を固定し、帯枕部材の突出した先端に帯結び補助紐を係止することができ、飾り結びをしても、しっかりと所望位置に固定することができ、帯枕の変形ともなり、帯の着付けに必要な帯枕を準備しなくてもよい。
【００１６】
本考案の帯下装身具を着衣者の胴に巻けば、帯板、帯枕、伊達締めと３つの具備を必要とせず、着衣者には複雑さから解放され、紐で締め付けられる息苦しさからも解放され、着物、帯結びを美しく、崩れ落ちることなく、長時間定位置で美しく着ることができる。こうして、本考案の帯下装身具は、３つの必要不可欠な目的具を解決する。
【図面の簡単な説明】
【００１７】
【図１】本考案に係る帯下装身具の平面図である。
【図２】本考案に係る帯下装身具を一回りし、重なり合う両端に面ファスナーを儲け重ね合わせたときの斜視図である。
【図３】本考案に係る帯下装身具を別な角度から見た斜視図である。
【図４】本考案に係る帯下装身具を別な角度から見た斜視図である。
【図５】本考案に係る帯下装身具の端部を僅かに広げたときの斜視図である。
【図６】本考案に係る帯下装身具を着衣者の胴体に巻いたときの正面図である。
【図７】本考案に係る帯下装身具を着衣者の胴体に巻いたときの背面図である。
【図８】本考案に係る帯下装身具の変形例を示す図である。
【図９】本考案に係る帯枕部材の変形例を示す図である。
【図１０】本考案に係る帯枕部材の変形例を示す図である。
【図１１】本考案に係る締結部材の構成を説明する断面図である。
【図１２】図１１に示す締結部材を用いて帯を締結する例を説明する図である。
【考案を実施するための形態】
【００１８】
以下、本考案の実施の形態に係る帯下装身具について図面を参照して説明する。
【実施例１】
【００１９】
本考案に係る帯下装身具を、図１ないし図７を参照して説明する。本考案に係る帯下装身具１０は、帯の幅よりも狭い幅で延在し一方の端部２０Ａと他方の端部２０Ｂを有する薄板状の前平面体２０と、帯の幅よりも狭い幅で延在し一方の端部３０Ａと他方の端部３０Ｂを有する薄板状の後背面体３０とを有する。前平面体２０および後背面体３０は、比較的剛性を有するが着衣者の胴に巻かれるときに弾性変形可能な部材、例えば、プラスチック、ナイロン芯などから構成される。さらに、前平面体２０および後背面体３０は、複数の貫通孔が形成されたメッシュ材から構成されるようにしてもよい。メッシュ材を用いることで、通気性をより改善することができ、着衣者にとって快適となる。
【００２０】
前平面体２０の一方の端部２０Ａと後背面体３０の一方の端部３０Ａとは、複数のゴム紐またはゴムテープのようなゴム部材４０によって連結され、ゴム部材４０が伸縮することで、前平面体２０と後背面体３０の間隔を弾力性をもって可変することができる。好ましくは、前平面体２０が着衣者の前面に配され、後背面体３０が着衣者の背面に配され、ゴム部材４０が着衣者の側部に配される。前平面体２０の他方の端部２０Ｂと後背面体３０の他方の端部３０Ｂには、マジックテープ（登録商標）などからなる面ファスナー５０がそれぞれ設けられる。端部３０Ａ、３０Ｂの形状は、矩形状であってもよいし、円形状であってもよい。また、面ファスナー５０は、表面または表と裏の両面に形成することができ、前平面体２０の端部２０Ｂと後背面体３０の端部３０Ｂが面ファスナーによって取り外し可能に固定される。
【００２１】
後背面体３０の上端には、矩形状の開口６０Ａが形成された帯枕部材６０が固定される。帯枕部材６０は、例えば、金属等の一定の強度を有する部材またはその他のプラスチック部材によって後背面体３０にしっかりと固定される。後背面体３０の裏面（着衣者の胴体側）であって帯枕部材６０に対応する位置に、密閉加工された保冷材または冷却材を収容する冷却空間９０を提供することができる。また、前平面体２０の表面には、携帯等の小物などを収容するポケット３２が形成され、ポケット３２に対応する位置にリボン等の装飾８０が取り付けられる。装飾８０は、ポケット３２の位置を示すこともできる。
【００２２】
図８は、本実施例の帯下装身具の他の好ましい変形例である。図８に示す帯下装身具１０は、後背面体３０の表面側に延在しかつ帯枕部材６０と対応する位置に取り付けられた紐状の締結部材７０が設けられる。締結部材７０は、後背面体３０の表面との間で帯を帯の短手方向にて締結する。例えば、締結部材７０の端部７２には、マジックテープ（登録商標）、ボタンなどの固定具が取り付けられ、後背面体３０の所定位置に、端部７２を固定するマジックテープ（登録商標）やボタンが取り付けられ、締結部材７０の端部７２が取り外し可能になっている。この締結部材７０により帯を後背面体３０との間で締結することにより、帯の長さを簡単に調整することができる。
【００２３】
図９および図１０は、帯枕部材の他の例を示す図である。帯枕部材６０は、図９に示すように、幾分幅広でほぼ平坦な矩形状の面を有する頂部６１と、頂部６１の両端に立脚される一対の脚部６２を有する構成であることができる。脚部６２は、後背面体３０の上端に固定され、頂部６１と脚部６２の間には、帯を通すことができる開口６０Ａが形成される。このような幅広の頂部６１をもつことで帯結びやその装飾を容易にすることができる。なお、頂部６１は、幾分湾曲するような面であってもよい。さらに、帯枕部材６０は、図１０に示すように、中央の幅が相対的に広く両端の幅が相対的に狭いひし形状の頂部６３により構成されてもよい。
【００２４】
図１１は、締結部材の変形例を示す断面図である。締結部材７０は、図７に示したように帯枕部材６０に対応する位置に設けられ、後背面体３０との間で帯の長さ等を調整するために用いられる。図１１に示す締結部材は、上下に重なるように配された短冊状の２枚の上締結部材７０Ａと下締結部材７０Ｂとを有する。上下の締結部材７０Ａ、７０Ｂは、例えば布、ナイロンまたはプラスチックなどから構成される。下締結部材７０Ｂは、後背面体３０との間で帯１００を締結し、上締結部材７０Ａは、下締結部材７０Ｂとの間で折り返された帯１００を締結する。２つの締結部材７０Ａ、７０Ｂを用いることで、２重に折り返された帯を容易に締結することができ、帯の長さの調整、帯の装飾を容易にすることができる。上下の締結部材７０Ａ、７０Ｂの端部は、ボタンやマジックテープなどの固定手段を用いて後背面体３０に固定することができる。さらに、上下の締結部材７０Ａ、７０Ｂの中央部分を切断し、両端部をボタンまたはマジックテープなどの固定手段を用いて相互に固定することができる。
【００２５】
図１２は、図１１に示す締結部材を用いたときの帯の締結方法を示している。図１２（ａ）に示すように、下締結部材７０Ｂと後背面体３０との間で帯１００がある程度の力で固定される。なお、帯１００の幅方向は、後背面体３０の幅方向よりも若干小さくなるように縮めされまたは幅が半分となるように重ね合わされる。
【００２６】
次に、図１２（ｂ）に示すように、図面に向かって左側の帯１００の部分が折り返され、板締結部材７０Ｂ上を帯が延び、さらに図面に向かって右側の帯１００の部分が折り返される。次に、図１２（ｃ）に示すように、折り返された帯１００が上締結部材７０Ａによって固定される。図示する例では、上締結部材７０Ａは、両端部にボタン７５が設けられ、ボタン７５によって帯１００を締結するものである。
【００２７】
本考案に係る帯下装身具は、前平面体および後平面体を色柄の布で覆い、色柄帯下装身具が形成される。そして、色柄帯下装身具と同等の色柄模様の帯の羽根の部分を形成し、相通可能な突出する帯枕部材に帯結び補助紐でしっかりと帯結びの羽根中央に縛りつけて形を整える。本考案の帯下装身具は、帯の幅よりやや狭く形成されていて、帯とともに変形することができる。これにより、帯下装身具１本で帯板、伊達締め、帯枕、帯と、着物・帯結びに必要不可欠な４つの目的を１つに合体させ、従来の着物・着付けの複雑さ、紐の窮屈さから解放し、長時間の着装にも着衣者の困難がなくなり、美しく帯結びが定位置に崩れ落ちることなく、美しく維持される帯下装身具が提供される。
【００２８】
本考案の帯下装身具は、前平面体と後背面体の２つの平面体で形状され、２つの平面体は伸縮可能なゴムテープのような弾性部材で両端を接合される。伸縮可能なゴムテープにより前平面体と後背面体の両端を接合し、ゴムテープの伸縮で、着物帯結びの時に必要不可欠な帯板の特徴となる逆円錐台形となるように、上辺と下辺の略平行な山伏が自然と着衣者の胴体に柔軟に調和され、帯板の変形ともなる。
【００２９】
また、２つの平面体の接合にゴムテープを用いることで、着衣者の胴体に柔軟に密着し、帯結びに必要不可欠な伊達締めの変形となる。これにより、一本の帯下装身具で２つの着物着装具帯板伊達締めが不必要となる。
【００３０】
また、複数のゴムテープを用いそれらの間には間隙が設けられ、この間隙により、風通しがよくなり、着衣者が暑いゆかたを着て、さらに本考案の帯下装身具を胴体に着用した場合には、蒸し暑さから解放される。
【００３１】
本考案の帯下装身具の後背面に、上部に突出した挿通可能な帯枕部材を固定する。帯枕部材は、針金などような金属により構成される。帯枕部材は、着衣者の背面（背中）より僅かに外側に反るように形成されている。また、帯枕部材の先端上部には、帯結び補助紐が設けられている。好ましくは、この先端上部は他よりも太く径の針金または金属から構成され、これにより、兵児帯や半幅帯を締めるときは、この突出する帯枕部材の穴を通し、リボンや帯紐の羽根を帯結びの補助紐にしっかり結びつけ、形を整えることができる。帯枕部材の穴がしっかり帯下装身具に固定されているため、帯結びは、下にずれ落ちることはなく、長時間装着していても美しい帯結びが維持することができる。
【００３２】
次に、本考案の帯下装身具の使用方法を説明する。まず、着衣者の肌襦袢を着た上に、着物を着て、その着物を着衣者の袖丈を決め、腰の部分で前幅を合わせ着衣者の背丈に合わせ、おはしょりを作り、紐で縛る。通常、その上に伊達締めを巻くが、本考案では、帯下装身具を帯を締める位置に巻く。これにより、伊達締めの代わりともなっているため、通常巻く伊達締めは、巻くことはない。
【００３３】
また、通常、その上に帯板をつけるが、帯よりも僅かに狭く、本考案の帯下装身具は、僅かに堅く形状されているため、帯板の代わりともなり、帯板をつけなくてもよい。この着物を着た上に２つの用備具をつけなくともよいため、着衣者は胴が縛り付けられるきつさ、苦しさから解放される。
【００３４】
帯下装身具は、向面を全面になるよう巻くその帯下装身具の上に、兵児帯の場合、兵児帯は柔らかいため、帯幅の好みの幅を取り、帯の長さの中心を前に当て、着衣者の胴体を二廻りさせる。二廻りさせた兵児帯の両端を帯下装身具の帯枕部材に外側より通し、内側でしっかりしばる。縛った後、リボンに下場合は、残りの両端布を帯枕部材に通し、着衣者の好みにより形を整える。整えたら、帯下装身具とその上に巻かれた兵児帯とを一緒に持ち、前面から背面に１８０°廻し帯結びを背中につける。前面から背面に１８０°廻した時、帯下装身具の背面の帯枕部材の中央真直線の下に分かりやすいように着衣者の指が入るほどのひもの輪がつくられているため、背中心が分かりやすい。このように兵児帯のりぼんや着衣者の好みの形が帯下装身具の帯枕部材にしっかりと結ばれるため、長時間着衣者が着ていても定位置よりも下に落ちることなく美しい帯結びが記事することができ、伊達締めと帯板との煩雑さからも解放されることを可能にした和装用帯下装身具である。
【００３５】
また、半幅帯を締める場合、着衣者の肌襦袢の上に着物を着て、その上に帯板、伊達締め、帯枕の変形となる帯下装身具を着衣者の胴に巻く。本考案の帯下装身具の後背面を着衣者の前面に持ってくる。
【００３６】
手先５ｃｍの長さを帯下装身具の背面の帯枕部材に通し、残りの垂れの部分を着衣者の胴に二廻りさせ、残りの垂れの部分で垂れを折りたたむ。帯枕部材の帯結び補助紐で残りの垂れを折りたたんだ帯を固定し、帯結びの形を整える。帯結びの形を整えたら、帯枕部材に通してあった手先部分を帯枕部材の上部に固定された折りたたまれた帯の中央から折り返し巻き、残りの手先は、帯下装身具を着物との間に通す。ここでさらに、帯結びの形を整えて帯と帯下装身具を持ち、前で帯結びしたものを、後背面（背中）に１８０°廻す。このとき、帯結びの位置は、帯下装身具の帯枕部材の真直下に設けられた指が入るほどの紐の輪が取り付けてあり、その輪に手が触れることで背中の帯の位置が分かる。
【００３７】
本考案の半幅帯の帯下装身具を使った帯結びの方法を説明する。上記と別の約３７０ｃｍ位の長さの半幅帯なら、約１５０ｃｍ位ところを垂れとし、帯結びの羽根をつくる長さとする。垂れの部分を折りたたみ、帯結びの羽根をつくり、帯下装身具の帯枕部材の上部に設けてある帯結び補助でしっかり縛り、固定する。残りの垂れを胴二廻りさせる。残りの帯の先は手先となり、挿通可能な固定具にしっかり結びとめてある羽根を、手先で一廻りか二廻りさせ、残りの手先は帯下装身具と着物との間に差し込み、帯結びを整える。このとき、帯結びは、帯下装身具の帯枕部材に結びつけるため、長時間着ていても帯結びの位置はしっかり固定され、崩れ落ちることなく、着付け初心者でも比較的容易に帯を締めることができる。
【実施例２】
【００３８】
次に、お太鼓の場合の使用方法を示す。本考案の帯下装身具を後面面が前面になるように巻き、帯の手先を半分に折り、上に上げておき残りの垂れを胴に二廻りし、二廻りした残りの垂れを帯枕部材の穴に通す。通した垂れをお太鼓の大きさに折りたたみ、帯枕部材を帯枕とし紐で縛る。上に上げておいた手先をおりたたんだお太鼓の端から通し、形を整えて、後から前に廻す。このことにより、本考案の帯下装身具は、帯結びが多種の帯を利用し、多種のデザインを得ることができる。
【符号の説明】
【００３９】
１０：帯下装身具
２０：前平面体
３０：後背面体
３２：ポケット
４０：ゴムテープ
５０：面ファスナー
６０：帯枕部材
６０Ａ：開口
７０：締結部材
７０Ａ：上締結部材
７０Ｂ：下締結部材
８０：装飾
９０：保冷空間
１００：帯
【図１】
0003162825.tif 000003
【図２】
0003162825.tif 000004
【図３】
0003162825.tif 000005
【図４】
0003162825.tif 000006
【図５】
0003162825.tif 000007
【図６】
0003162825.tif 000008
【図７】
0003162825.tif 000009
【図８】
0003162825.tif 000010
【図９】
0003162825.tif 000011
【図１０】
0003162825.tif 000012
【図１１】
0003162825.tif 000013
【図１２】
0003162825.tif 000014